(57)【要約】【課題】従来の開閉ハンドルの操作を不要とし、ワンタッチで開閉操作を行うことで作業労力の軽減を図ると共に、セーフティワイヤを挟持した状態が経時的に緩むことがない中間支持金具を提供する。【解決手段】セーフティワイヤ１０を間に配置して挟持可能とする第１ワイヤ保持部材１１と第２ワイヤ保持部材２１とから構成され、第１ワイヤ保持部材１１と第２ワイヤ保持部材２１のそれぞれの一端部を蝶番３０で回動自在に連結する。また、第１ワイヤ保持部材１１と第２ワイヤ保持部材２１を重ね合わせた状態を維持する付勢力を付与する着脱式の付勢機構を設ける。付勢機構は、例えば、一方のワイヤ保持部材２１の他端部に係止片４１を設け、他方のワイヤ保持部材１１の他端部に回動自在なレバー４２を設け、このレバー４２に係止片４１に係止可能な係止部材４３を設けて構成する。【選択図】    図２
2016116781.tif 000002
【特許請求の範囲】
【請求項１】
送電鉄塔に沿って設置されるセーフティワイヤの中間部位を保持する中間支持金具であって、
前記セーフティワイヤを間に配置して挟持可能とする第１ワイヤ保持部材及び第２ワイヤ保持部材と、
前記第１ワイヤ保持部材と前記第２ワイヤ保持部材のそれぞれの一端部を回動自在に連結する蝶番と、
前記第１ワイヤ保持部材と前記第２ワイヤ保持部材を重ね合わせた状態を維持する付勢力を付与する着脱式の付勢機構と、
を具備することを特徴とする中間支持金具。
【請求項２】
前記付勢機構は、前記第１ワイヤ保持部材と前記第２ワイヤ保持部材の一方の他端部に設けられた係止片と、前記第１ワイヤ保持部材と前記第２ワイヤ保持部材の他方の他端部に回動自在に設けられたレバーと、このレバーに一端が連結され、前記係止片に他端が係止可能な係止部材とからなるトグルラッチ機構であることを特徴とする請求項１記載の中間支持金具。
【請求項３】
前記付勢機構は、前記蝶番の前記第１ワイヤ保持部材に固定された軸挿通部と前記第２ワイヤ保持部材に固定された軸挿通部との間にスプリングを弾装し、このスプリングを圧縮する方向に前記第１ワイヤ保持部材と前記第２ワイヤ保持部材とを前記蝶番の支軸の軸方向で相対的に相反する方向に移動可能とし、前記第１ワイヤ保持部材と前記第２ワイヤ保持部材の一方の他端部に係合凹部を設け、前記第１ワイヤ保持部材と前記第２ワイヤ保持部材の他方の他端部に前記係合凹部と係合可能な係合凸部を設け、前記係合凹部と前記係合凸部との係合された状態を維持する付勢力を前記スプリングによって付与する機構であることを特徴とする請求項１記載の中間支持金具。
【発明の詳細な説明】
【技術分野】
【０００１】
本発明は、送電鉄塔の塔柱に上部保持金具と下部保持金具とによって両端が保持されたセーフティワイヤの中間部位を保持するために利用される中間支持金具に関する。
【背景技術】
【０００２】
送電鉄塔に作業者が昇降する際の安全を確保するために、送電鉄塔には上部保持金具と下部保持金具とによって両端が支持されたセーフティワイヤが送電鉄塔に沿って設置されている。このセーフティワイヤは、数十ｍにおよぶ長さがあり、風による振動等によって損傷、断線することを防止するために中間部位を中間支持金具によって保持するようにしている。
【０００３】
従来から用いられている中間支持金具１００は、図５に示されるように、送電鉄塔１０１に固定された取付部材１０２の先端部に装着されるもので、取付部材１０２の先端部に固定されるネジ軸１０３を具備し、このネジ軸１０３にセーフティワイヤ１０４を着脱可能に保持するワイヤ保持部１０５が設けられている。
【０００４】
このワイヤ保持部１０５は、対向して配置された第１ワイヤ保持部材１０６及び第２ワイヤ保持部材１０７を備え、第１ワイヤ保持部材１０６はネジ軸１０３が貫通する図示しない貫通孔が形成された本体部１０６ａとワイヤ保持凹部１０６ｃが形成された把持部１０６ｂとが一体形成され、また、第２ワイヤ保持部材１０７は第１ワイヤ保持部材１０６に重ね合わせるように設けられ、ネジ軸１０３が貫通する図示しない貫通孔が形成された本体部１０７ａと第１ワイヤ保持部材１０６のワイヤ保持凹部１０６ｃと対向するワイヤ保持凹部１０７ｃが形成された把持部１０７ｂとが一体形成されている。
【０００５】
また、ネジ軸１０３の先端部には、第２ワイヤ保持部材１０７に当接すると共にネジ軸１０３に螺合するボス部１０９ａ及びボス部１０９ａの外周から延設された一対のハンドル部材１０９ｂを有する開閉ハンドル１０９が設けられている。
【０００６】
この中間支持金具１００は、ネジ軸１０３に螺合する開閉ハンドル１０９の回転操作により開閉されるもので、開閉ハンドル１０９を締め付け方向に回転操作することでボス部１０９ａがネジ軸１０３に沿って基端部側に移動し第２ワイヤ保持部材１０７が第１ワイヤ保持部材１０６側に押し付けられる。また、開閉ハンドル１０９を緩み方向に回転操作することで第２ワイヤ保持部材１０７が第１ワイヤ保持部材１０６から離反する方向に移動可能になる。
【０００７】
このような構成の中間支持金具１００が取り付けられている場合において、作業者がセーフティワイヤ１０４に安全クリップを装着して送電鉄塔を昇る場合には、中間支持金具１００の位置に到達すると、開閉ハンドル１０９を緩み方向に回転させて第１ワイヤ保持部材１０６と第２ワイヤ保持部材１０７とによるセーフティワイヤ１０４の固定状態を解除してセーフティワイヤを中間支持金具から一旦外し、安全クリップを中間支持金具１００の上方に移動させる。また、降塔する場合には、安全クリップを中間支持金具１００の下方へ移動させた後に、第１ワイヤ保持部材１０６と第２ワイヤ保持部材１０７のそれぞれのワイヤ保持凹部１０６ｃ、１０７ｃの間にセーフティワイヤ１０４を挿入して開閉ハンドル１０９を締め付け方向に回転操作してセーフティワイヤ１０４を挟持固定するようにしている。
【０００８】
しかしながら、中間支持金具１００は、開閉ハンドル１０９を手で回転操作してセーフティワイヤ１０４を第１ワイヤ保持部材１０６と第２ワイヤ保持部材１０７との間に挟持固定する構造であるため、作業者の締め付け不良や風によるセーフティワイヤ１０４の振動等により中間支持金具１００に緩みが生じ、中間支持金具１００からセーフティワイヤ１０４が外れて損傷したり断線したりすることが懸念される。
【０００９】
定期点検や巡視によって中間支持金具が開いていることが発見されれば、再度開閉ハンドルを締め付け、場合によっては、中間支持金具を追加して中間支持金具の設置間隔を狭くすることで振動を抑制する対策を講じているが、中間支持金具が開いていることを必ずしも発見できるとは限らず、また、対応するために余分なコストがかかるものであった。
【００１０】
この対策としては、ガイドワイヤーを保持固定する把持部を覆い、ネジ手段によって把持部に固定可能な緩み防止キャップを取り付けるようにしたり（特許文献１参照）、開閉ハンドルの移動軌跡範囲内に位置する固定位置に固定ピンを保持することで開閉ハンドルの緩み方向の回転を規制し、第１ワイヤ保持部材と第２ワイヤ保持部材とによるセーフティワイヤの挟持固定状態を維持したりすること等が考えられている。
【先行技術文献】
【特許文献】
【００１１】
【特許文献１】特開２０１０−１２３９２７号公報
【特許文献２】特開２０１２−１６５８９２号公報
【発明の概要】
【発明が解決しようとする課題】
【００１２】
しかしながら、前者の構成においては、緩み防止キャップの紛失の恐れがあり、また、緩み防止キャップの劣化による緩み防止機能の低下が懸念され、しかも、緩み防止キャップを取り付ける作業が開閉ハンドルによる締め付け操作とは別に必要となるので、作業工数が増えるものであった。
【００１３】
後者の構成においても、固定ピンの紛失や固定ピンの取り付け作業を失念する恐れがあり、また、この構成においても、開閉ハンドルによる締め付け操作とは別に固定ピンを取り付ける作業が別途必要となるので、作業工数が増える不都合がある。
【００１４】
本発明は、係る事情に鑑みてなされたものであり、従来の開閉ハンドルの操作を不要とし、ワンタッチで開閉操作を行うことで作業労力の軽減を図ると共に、セーフティワイヤを挟持した状態が経時的に緩むことがない中間支持金具を提供することを主たる課題としている。
【課題を解決するための手段】
【００１５】
上記課題を達成するために、本発明の中間支持金具は、送電鉄塔に沿って設置されるセーフティワイヤの中間部位を保持するものであって、前記セーフティワイヤを間に配置して挟持可能とする第１ワイヤ保持部材及び第２ワイヤ保持部材と、  前記第１ワイヤ保持部材と前記第２ワイヤ保持部材のそれぞれの一端部を回動自在に連結する蝶番と、前記第１ワイヤ保持部材と前記第２ワイヤ保持部材を重ね合わせた状態を維持する付勢力を付与する着脱式の付勢機構と、を具備することを特徴としている。
【００１６】
したがって、このような構成によれば、付勢機構による付勢力を解除して蝶番を中心として第１ワイヤ保持部材と第２ワイヤ保持部材とを開き、これらの間にセーフティワイヤを配置して再び重ね合わせ、しかる後に付勢機構により重ね合わせた状態を維持する付勢力を付与すれば、セーフティワイヤをワンタッチで第１ワイヤ保持部材と第２ワイヤ保持部材との間に挟持することが可能となる。しかも第１ワイヤ保持部材と第２ワイヤ保持部材とを重ね合わせた状態を維持する付勢力が付勢機構により常時付与されているので、挟持された状態が経時的に緩む恐れがなくなる。
【００１７】
ここで、着脱式の付勢機構としては、前記第１ワイヤ保持部材と前記第２ワイヤ保持部材の一方の他端部に設けられた係止片と、前記第１ワイヤ保持部材と前記第２ワイヤ保持部材の他方の他端部に回動自在に設けられたレバーと、このレバーに一端が連結され、前記係止片に他端が係止可能な係止部材とからなるトグルラッチ機構で構成してもよい。
【００１８】
また、付勢機構は、前記蝶番の前記第１ワイヤ保持部材に固定された軸挿通部と前記第２ワイヤ保持部材に固定された軸挿通部との間にスプリングを弾装し、このスプリングを圧縮する方向に前記第１ワイヤ保持部材と前記第２ワイヤ保持部材とを前記蝶番の支軸の軸方向で相対的に相反する方向に移動可能とし、前記第１ワイヤ保持部材と前記第２ワイヤ保持部材の一方の他端部に係合凹部を設け、前記第１ワイヤ保持部材と前記第２ワイヤ保持部材の他方の他端部に前記係合凹部と係合可能な係合凸部を設け、前記係合凹部と前記係合凸部との係合された状態を維持する付勢力を前記スプリングによって付与する機構であってもよい。
【００１９】
前者の構成においては、トグルラッチ機構により第１ワイヤ保持部材と第２ワイヤ保持部材とを重ね合わせた状態を維持する付勢力が常時保たれ、また、後者の構成においては、第１ワイヤ保持部材に固定された軸挿通部と第２ワイヤ保持部材に固定された軸挿通部との間に弾装されたスプリングにより第１ワイヤ保持部材と第２ワイヤ保持部材とを重ね合わせた状態を維持する付勢力が常時保たれ、いずれも振動等で緩む恐れのない安定した挟持状態を得ることが可能となる。
【発明の効果】
【００２０】
以上述べたように、本発明に係る中間支持金具によれば、セーフティワイヤを間に配置して挟持可能とする第１ワイヤ保持部材と第２ワイヤ保持部材との一端部を蝶番で連結し、第１ワイヤ保持部材と第２ワイヤ保持部材を重ね合わせた状態を維持する付勢力を付与する着脱式の付勢機構を具備しているので、従来の開閉ハンドルが不要となり、ワンタッチで開閉操作を行うことを可能として作業労力の軽減を図ることができ、また、セーフティワイヤを挟持した状態が経時的に緩む恐れがなくなる。
【図面の簡単な説明】
【００２１】
【図１】図１は、本発明に係る中間支持金具の第１の構成例を示す図であり、（ａ）は第１ワイヤ保持部材と第２ワイヤ保持部材とを閉じた状態を示す平面図、（ｂ）は第１ワイヤ保持部材と第２ワイヤ保持部材とを開いた状態を示す平面図、（ｃ）はトグルラッチ機構が設けられた側から見た側面図である。
【図２】図２は、図１の中間支持金具を用いてセーフティワイヤを支持する操作を説明する説明図であり、（ａ）はセーフティワイヤに取り付ける前の状態を示す図、（ｂ）はセーフティワイヤに取り付けた状態を示す図である。
【図３】図３は、本発明に係る中間支持金具の第２の構成例を示す図であり、（ａ）は第１ワイヤ保持部材と第２ワイヤ保持部材とを開いた状態を示す斜視図、（ｂ）は第１ワイヤ保持部材と第２ワイヤ保持部材とを開いた状態を示す平面図、（ｃ）は（ａ）において第２ワイヤ保持部材を第１ワイヤ保持部材に対して支軸の軸方向に相対的にずらした状態を示す斜視図である。
【図４】図４は、図３の中間支持金具を用いてセーフティワイヤを支持する操作を説明する説明図であり、（ａ）はセーフティワイヤに取り付ける前の状態を示す図、（ｂ）はセーフティワイヤに取り付けた状態を示す図である。
【図５】図５は、従来の中間支持金具を示す図であり、（ａ）は、その平面図、（ｂ）はその側面図である。
【発明を実施するための形態】
【００２２】
以下、本発明に係る中間支持金具について図面を参照しながら説明する。
【００２３】
図１において、中間支持金具１は、送電鉄塔の所定位置に基端が取り付けられた板状の取付部材２の先端部に固定されるもので、側面に固定されたネジ軸３を取付部材２に設けられた図示しない取付孔に挿通して複数のナット４により固定されている。
【００２４】
この中間支持金具１は、前記ネジ軸３が固定された第１ワイヤ保持部材１１と、この第１ワイヤ保持部材１１に対向して、該第１ワイヤ保持部材１１に対して取付部材２とは反対側に配置された第２ワイヤ保持部材２１とを有して構成されている。
【００２５】
第１ワイヤ保持部材１１は、矩形断面形状で延在する本体部１２と、この本体部１２に続いて形成され、セーフティワイヤを把持するために断面半円弧の溝状に形成された凹部１３が第２ワイヤ保持部材２１と対峙する面に形成された把持部１４とを一体に形成して構成されている。なお、５は、ネジ軸３を取付部材２に固定するナット４と第１ワイヤ保持部材１１との間に掛け渡されて第１ワイヤ保持部材１１のネジ軸３に対する揺動を規制する係止部材である。
【００２６】
第２ワイヤ保持部材２１は、矩形断面形状で延在する本体部２２と、この本体部２２に続いて形成され、セーフティワイヤを把持するために断面半円弧の溝状に形成された凹部２３が第１ワイヤ保持部材１１と対峙する面に形成された把持部２４とを一体に形成して構成されている。
【００２７】
そして、第１ワイヤ保持部材１１と第２ワイヤ保持部材２１の本体部側のそれぞれの端部は、蝶番３０により回動可能に連結されている。また、第２ワイヤ保持部材２１の把持部２４側の端部には、係止片４１が固定され、第１ワイヤ保持部材１１の把持部１４側の端部には、レバー４２が回動自在に取り付けられている。このレバー４２には、係止片４１に係止可能な係止部材４３が回転自在に連結されており、前記係止片４１、レバー４２、及び係止部材４３により、第１ワイヤ保持部材１１の把持部側の端部と第２ワイヤ保持部材２１の把持部側の端部とを着脱可能に連結するトグルラッチ機構が構成されている。
【００２８】
以上の構成において、セーフティワイヤ１０に中間支持金具１を取り付けるには、図２（ａ）に示されるように、レバー４２を操作して係止片４１から係止部材４３を外し、第１ワイヤ保持部材１１と第２ワイヤ保持部材２１とを蝶番３０を中心として回動させ把持部間を広げる。その状態で、セーフティワイヤ１０を把持部１４，２４の凹部１３，２３に挿入し、第１ワイヤ保持部材１１と第２ワイヤ保持部材２１とを重ね合わせ、係止部材４３を係止片４１に係止させてレバー４２を倒せば、図２（ｂ）に示されるように、セーフティワイヤ１０を第１ワイヤ保持部材１１と第２ワイヤ保持部材２１とにより挟持した状態が形成され、前記トグルラッチ機構により、第１ワイヤ保持部材１１と第２ワイヤ保持部材２１とを重ね合わせた状態を維持する付勢力が常時付与された状態となる。
【００２９】
したがって、上述した中間支持金具１を用いれば、セーフティワイヤ１０をワンタッチで第１ワイヤ保持部材１１と第２ワイヤ保持部材２１との間に挟持することが可能となり、しかも、第１ワイヤ保持部材１１と第２ワイヤ保持部材２１を重ね合わせた状態を維持する付勢力がトグルラッチ機構により常時付与されるので、挟持された状態が経時的に緩む恐れがなくなる。
【００３０】
図３において、中間支持金具１の他の構成例が示されている。この中間支持金具１も、側面に固定されたネジ軸３を取付部材２に設けられた図示しない取付孔に挿通して複数のナット４により固定されているもので、前記ネジ軸３が固定された第１ワイヤ保持部材１１と、この第１ワイヤ保持部材１１に対向して取付部材とは反対側に配置された第２ワイヤ保持部材２１とを有して構成されている。
【００３１】
第１ワイヤ保持部材１１は、矩形断面形状のブロック体で構成され、セーフティワイヤを把持するために断面半円弧の溝状に形成された凹部１３が第２ワイヤ保持部材２１と対峙する面に形成されている。また、第２ワイヤ保持部材２１も、矩形断面形状のブロック体で構成され、セーフティワイヤを把持するために断面半円弧の溝状に形成された凹部２３が第１ワイヤ保持部材１１と対峙する面に形成されている。
【００３２】
そして、第１ワイヤ保持部材１１と第２ワイヤ保持部材２１のそれぞれの一方の端部は、蝶番３０により回動可能に連結されている。また、第１ワイヤ保持部材１１の他方の端部には、係合凹部１５が形成され、第２ワイヤ保持部材２１の他方の端部には、前記係合凹部１５と係合可能な係合凸部２５が設けられている。
【００３３】
前記蝶番３０は、第１ワイヤ保持部材１１に固定された軸挿通部３１ａ，３１ｂと第２ワイヤ保持部材２１に固定された軸挿通部３２ａ，３２ｂとが支軸３３に対して交互に取り付けられている。支軸３３は最も上側に位置する第２ワイヤ保持部材２１に固定された軸挿通部３２ａに固定され、他の軸挿通部３１ａ、３１ｂ、３２ｂに対しては回動可能かつ軸方向に移動可能に取り付けられている。そして、第１ワイヤ保持部材１１に固定された軸挿通部３１ａと第２ワイヤ保持部材２１に固定された軸挿通部３２ｂとの間には、支軸３３の周囲にコイルスプリング３４が弾装されている。
【００３４】
したがって、第１ワイヤ保持部材１１と第２ワイヤ保持部材２１とは支軸３３の軸方向で相対的に相反する方向に移動可能であり、第２ワイヤ保持部材２１を第１ワイヤ保持部材１１に対して上方に相対的に変位させた状態においては、コイルスプリング３４が圧縮され、係合凸部２５の下端が係合凹部１５の上端よりも上側にくるようになっている。
【００３５】
以上の構成において、セーフティワイヤ１０に中間支持金具１を取り付けるには、図４（ａ）に示されるように、第２ワイヤ保持部材２１を第１ワイヤ保持部材１１に対して軸方向に相対的に押し上げ、係合凸部２５を係合凹部１５から外して第１ワイヤ保持部材１１と第２ワイヤ保持部材２１とを開いた状態とする。その状態で、セーフティワイヤ１０を凹部１３，２３に挿入し、第２ワイヤ保持部材２１を第１ワイヤ保持部材１１に対して軸方向に相対的に押し上げつつ回動させ、第１ワイヤ保持部材１１と第２ワイヤ保持部材２１とを重ね合わせ、その状態で第２ワイヤ保持部材２１を離すと、コイルスプリング３４のバネ力により第２ワイヤ保持部材２１が第１ワイヤ保持部材１１に対して相対的に下がり、係合凹部１５に係合凸部２５が係合される。したがって、セーフティワイヤ１０は第１ワイヤ保持部材１１と第２ワイヤ保持部材２１とで挟持された状態となり、また、コイルスプリング３４により、第１ワイヤ保持部材１１と第２ワイヤ保持部材２１とを重ね合わせた状態（係合凹部１５と係合凸部２５とを係合した状態）を維持する付勢力が常時付与された状態となる。
【００３６】
このため、上述した中間支持金具１を用いれば、セーフティワイヤ１０をワンタッチで第１ワイヤ保持部材１１と第２ワイヤ保持部材２１との間に挟持することが可能となり、しかも、第１ワイヤ保持部材１１と第２ワイヤ保持部材２１を重ね合わせた状態を維持する付勢力が常時付与されるので、挟持された状態が経時的に緩む恐れがなくなる。
【符号の説明】
【００３７】
１  中間支持金具
１０  セーフティワイヤ
１１  第１ワイヤ保持部材
１５  係合凹部
２１  第２ワイヤ保持部材
２５  係合凸部
３１ａ，３１ｂ，３２ａ，３２ｂ  軸挿通部
３０  蝶番
３４  スプリング
４１  係止片
４２  レバー
４３  係止部材
【図１】
2016116781.tif 000003
【図２】
2016116781.tif 000004
【図３】
2016116781.tif 000005
【図４】
2016116781.tif 000006
【図５】
2016116781.tif 000007